(57)【要約】【課題】反応式ホットメルト接着剤Ｐを用いて作った出隅柱Ａの頂角部３における面取り加工部８をできるだけ目立たなくする。【解決手段】出隅柱Ａの頂角部３をそこに形成される凹凸に沿いながら回転切削具３０で切削して幅の狭い面取り加工部とするときに、少なくとも切削加工が施されている領域にノズル５１ａ（冷却手段５０）から冷却空気を吹き付け、冷却しながら面取り加工を行う。それにより、反応式ホットメルト接着剤層Ｐの端面Ｐｃは平坦面となり、微細な凹凸のない後塗装面が得られる。【選択図】図６
2006328851.tif 000002
【特許請求の範囲】
【請求項１】
少なくとも２枚の板片を側辺同士が長手方向の頂角部を形成するように反応式ホットメルト接着剤を用いて接着接合して形成される出隅柱であって、
前記頂角部には幅の狭い面取り加工部が形成されており、該面取り加工部は長手方向に連続した水平面ではなく規則的でない凹凸が連続する凹凸面とされており、かつ、
前記頂角部における側辺同士の接合部には接着接合に用いた接着剤層が残存していて、該接着剤層の面取り加工部側の端面は面取り加工部の凹凸面に沿いかつ平坦な面となっていることを特徴とする出隅柱。
【請求項２】
前記板片は表面柄部として接合面に交差する方向に走るエンボス柄を有していることを特徴とする請求項１に記載の出隅柱。
【請求項３】
前記頂角部に形成される幅の狭い面取り加工部に形成される凹凸面は連続した曲面部分を有することを特徴とする請求項１または２に記載の出隅柱。
【請求項４】
前記頂角部に残存している接着剤層の幅は約０．３〜０．５ｍｍの範囲であることを特徴とする請求項１〜３のいずれかに記載の出隅柱。
【請求項５】
前記頂角部に形成される幅の狭い面取り加工部の幅は８ｍｍ以下であることを特徴とする請求項１〜４のいずれかに記載の出隅柱。
【請求項６】
前記面取り加工部に後塗装が施されていることを特徴とする請求項１〜５のいずれかに記載の出隅柱。
【請求項７】
少なくとも２枚の板片を側辺同士が長手方向の頂角部を形成するように反応式ホットメルト接着剤を用いて接着接合して形成された出隅柱を支持する出隅柱支持手段と、
支持された出隅柱の前記頂角部に交差するようにして位置する回転切削具と、
該回転切削具を頂角部に形成される凹凸面に沿って上下に移動できるように支持する回転切削具支持手段と、
回転切削具と出隅柱の間に相対的な移動を与える移動手段と、
少なくとも回転切削具によって出隅柱の頂角部が切削されている領域を冷却するための冷却手段、
とを少なくとも備えることを特徴とする出隅柱頂角部に面取り加工を施す装置。
【請求項８】
回転切削具によって出隅柱の頂角部が切削される領域の上流側に、少なくとも回転切削具によって切削されることとなる出隅柱の頂角部の領域を冷却するための第２の冷却手段をさらに備えることを特徴とする請求項７に記載の出隅柱頂角部に面取り加工を施す装置。
【請求項９】
回転切削具によって出隅柱の頂角部が切削される領域の下流側に、少なくとも回転切削具によって切削された出隅柱の頂角部の領域を冷却するための第３の冷却手段をさらに備えることを特徴とする請求項７または８に記載の出隅柱頂角部に面取り加工を施す装置。
【請求項１０】
２段以上の回転切削具が切削すべき出隅柱の長手方向に配置されていることを特徴とする請求項７〜９のいずれかに記載の出隅柱頂角部に面取り加工を施す装置。
【請求項１１】
冷却手段は空気または予冷却空気を冷却領域に噴射する手段であることを特徴とする請求項７〜１０のいずれかに記載の出隅柱頂角部に面取り加工を施す装置。
【請求項１２】
回転切削具は圧縮空気で作動するグラインダービットであることを特徴とする請求項７〜１１のいずれかに記載の出隅柱頂角部に面取り加工を施す装置。
【発明の詳細な説明】
【技術分野】
【０００１】
本発明は、建物壁面の出隅部分の外装材として用いられる出隅柱と、その頂角部に面取り加工を施すための装置に関する。
【背景技術】
【０００２】
一般に、建物壁面の出隅部分に用いられる外装材として、図９に示すような出隅柱Ａが知られている（特許文献１など参照）。出隅柱Ａの製造には、通常、図１０ａに示すように、表面柄部（不図示）を持つ窯業建築板１が用いられ、それを適宜の幅に切断して板片１ａ，１ａを作り、各板片の１つの側辺を斜め（４５度の角度であることが多いが、これに限らない）に切断し（図１０ｂ）、その切断面２，２同士を頂角部３が形成されるように接着接合して形成される（図１０ｃ）。
【０００３】
その際に、頂角部３にズレが生じたり、頂角部から接着接合に用いた接着剤がはみ出すことがあるので、それを除去する等の目的で、テノーナー切削機のような機械的手段により頂角部３に面取り加工が施され、面取り加工部４が形成される（図１０ｄ）。テノーナー切削機を用いる従来の面取り加工では、切削される面取り加工部４は、幅が１０ｍｍ〜２０ｍｍ程度の幅広な平坦面となり、かつ板片１ａの表面とは異なった色彩となるので、例えば、特許文献１に記載されるような装置を用いて、別途、後塗装が施される。
【０００４】
接着接合に用いる接着剤には、湿気硬化型のウレタン系あるいはエポキシ系の接着剤が多く用いられる。しかし、湿気硬化型接着剤は硬化までに長い時間を必要とし、生産性の面で課題があることから、短時間で所要の接着効果を発揮する反応性ホットメルト接着剤を出隅柱の製造に用いることも行われる（特許文献２，３等参照）。
【０００５】
【特許文献１】特開平１１−１８８２９４号公報
【特許文献２】特開平９−２５６５９４号公報
【特許文献３】特開２００３−２３２１１７号公報
【発明の開示】
【発明が解決しようとする課題】
【０００６】
前記のように、従来の出隅柱では、頂角部に対してテノーナー切削機のような装置を用いて面取り加工を行っており、面取り加工部４は幅広な平坦面となる。そのために、そこを後塗装したとしても目立ちやすく、また、面取り加工部４は長手方向に連続する水平面であることから、その部分の陰影は、表面柄部の陰影とはどうしても異なるものとなる。
【０００７】
また、生産性を向上させる目的で接着剤として反応性ホットメルト接着剤を用いる場合、面取り加工時に発生する切削工具との間の摩擦熱で反応性ホットメルト接着剤（軟化点８０℃〜９０℃が普通である）の表層部分が溶解し、切削工具が軟化した接着剤の表面部分を切削する。この極薄く切削された切削片が切削面に付着して、図１１に模式的に示すように、接着剤層Ｐの面取り加工部４側の端面Ｐｃに微細な凹凸Ｐｄが生じることがある。この凹凸Ｐｄは、見た目に、逆立った状態あるいは毛羽立った状態となる。その微細な凹凸Ｐｄが後塗装した塗膜面に影響を与え、それによっても、面取り加工部と表面柄部の陰影とに違いが生じる。再軟化した反応性ホットメルト接着剤が切削工具側に付着してしまう不都合もある。
【０００８】
本発明は、上記のような事情に鑑みてなされたものであり、表面柄部として、例えば接合面に交差する方向に走るエンボス柄を持つような板片を、頂角部を持つようにして接着接合して形成した出隅柱において、頂角部に形成される面取り加工部をできるだけ目立たなくすると共に、生産性を高めるために接着剤として反応性ホットメルト接着剤を用いる場合でも、摩擦熱による接着剤の再軟化を防止して、接着剤層の面取り加工部側の端面に微細な凹凸が生じるのを阻止し、面取り加工部に後塗装する塗膜面を安定したものとして面取り加工部に違和感を起こさせないようにした出隅柱を提供することを目的とする。
【０００９】
また、本発明の他の目的は、上記した特徴を備えた出隅柱を製造するための出隅柱頂角部に面取り加工を施す装置を提供することも目的とする。
【課題を解決するための手段】
【００１０】
本発明による出隅柱は、少なくとも２枚の板片を側辺同士が長手方向の頂角部を形成するように反応式ホットメルト接着剤を用いて接着接合して形成される出隅柱であって、前記頂角部には幅の狭い面取り加工部が形成されており、該面取り加工部は長手方向に連続した水平面ではなく規則的でない凹凸が連続する凹凸面とされており、かつ、前記頂角部における側辺同士の接合部には接着接合に用いた接着剤層が残存していて、該接着剤層の面取り加工部側の端面は面取り加工部の凹凸面に沿いかつ平坦な面となっていることを特徴とする。
【００１１】
本発明において、出隅柱を構成する板片は、従来知られた窯業系建築板から適宜の幅の板片に切り出したものを用いることができる。２枚の板片の接着接合には反応式ホットメルト接着剤を用いる。それにより、所要の接着強度を得るまでの時間を短縮でき、生産性が向上する。使用する反応式ホットメルト接着剤に制限はなく、従来知られた、例えばポリイソシアネートとポリオールからなる反応式ホットメルト接着剤（より具体的には、反応性ポリウレタン系ホットメルト接着剤）などを適宜用いることができる。
【００１２】
本発明による出隅柱では、頂角部には幅の狭い面取り加工部が形成され、その面取り加工部は、テノーナー切削機のような装置で面取り加工したときに形成される長手方向に連続した水平面ではなく、規則的でない凹凸が連続する凹凸面となっている。そのために、頂角部に形成される面取り加工部は、従来の単に水平面で構成される幅の広い面取り加工部と比較して、目立たないものとなり、出隅柱の意匠性は向上する。また、板片の表面柄部に生じる陰影と同様な陰影を面取り加工部に生じさせることができる。
【００１３】
さらに、後記するように、本発明による出隅柱を製造するに当たっては、頂角部の面取り加工を冷却した状態で行うようにしており、接着接合に使用した反応式ホットメルト接着剤が切削工具との摩擦熱によって再軟化することはない。そのために、頂角部における側辺同士の接合部に残存する接着剤層の面取り加工部側の端面（露出面）は、面取り加工部の前記凹凸面に沿い、かつ平坦な面となっている。従来のように微細な凹凸が接着剤層の端面（露出面）に生じていないので、後塗装される塗膜面も安定しており、面取り加工部に生じる陰影が乱されることもない。
【００１４】
好ましくは、前記板片として、表面柄部に接合面に交差する方向に走るエンボス柄を有するものを用いる。より具体的には、エンボス柄は接合面に直交する方向に走る凸条と凹溝とが交互に複数本形成されているエンボス柄であり、その場合、各凸条と凹溝の形状はすべて同じであってもよく、異なる形状の凸条あるいは凹溝を含んでいてもよい。後者の方が外観意匠の観点からは好ましい。この場合に、上記のエンボス柄は板片の全表面に形成されていてもよく、一部に他の模様柄を含んでいてもよい。
【００１５】
その際に、接合面に交差する方向に走るエンボス柄の最低凹部から最高凸部までの高さ、すなわち凹溝部の底部から凸条部の頂部までの距離に特に制限はないが、板片の実用上の厚さと外観意匠の観点から１５ｍｍ程度以下であることは実際的である。また、接合面に交差する方向に走るエンボス柄の互いに隣接する頂部間の距離、すなわち互いに隣接する凸条の頂部間の距離は３０ｍｍ以下、より好ましくは５ｍｍ〜２０ｍｍ程度であることが、面取り加工部での模様の連続性を確保する観点から好ましい。
【００１６】
好ましい態様において、面取り加工部に形成される前記凹凸面は、連続した曲面部分を持つようにされる。面取り加工部をこのような連続した曲面とすることにより、斜め方向から光を当てたときに、面取り加工部に、表面柄部を構成するエンボス柄に生じる陰影とほぼ同様な陰影を、より確実に生じさせることができる。それにより、見る者は左右の板片のエンボス柄を連続したものと感じることができ、面取り加工部が幅狭であることと相俟って、面取り加工部を目立たないものとし、出隅柱に違和感のない高級感を与えるようになる。
【００１７】
本発明による出隅柱において、前記頂角部に残存している接着剤層の幅は、好ましくは約０．３〜０．５ｍｍの範囲である。湿気硬化型のウレタン系あるいはエポキシ系の接着剤を用いる場合には、塗布した接着剤は板片に含浸してしまい、頂角部の接合面に接着剤としての層はほとんど形成されない。形成されたとしても０．１ｍｍ以下である。接着剤として反応式ホットメルト接着剤を用いる場合に、上記のような接着剤層が目に見える厚さで形成される。形成される接着剤層の厚みが０．３ｍｍよりも薄い場合には、十分な接着性能が得られず、０．５ｍｍよりも厚い場合にはオーバースペックとなる。
【００１８】
本発明による出隅柱において、幅の狭い面取り加工部の最大横幅は、後塗装したときのタレや、加工工程のカケの問題もあり、８ｍｍ以下が好ましく、より好ましくは２〜５ｍｍ、さらに好ましくは２〜３ｍｍである。幅を狭くすることにより、左右の板材の柄模様の連続性を一層高めることができる。
【００１９】
本発明は、出隅柱の頂角部に上記した面取り加工部を施すための装置も開示する。すなわち、該装置は、少なくとも２枚の板片を側辺同士が長手方向の頂角部を形成するように反応式ホットメルト接着剤を用いて接着接合して形成された出隅柱を支持する出隅柱支持手段と、支持された出隅柱の前記頂角部に交差するようにして位置する回転切削具と、該回転切削具を頂角部に形成される凹凸面に沿って上下に移動できるように支持する回転切削具支持手段と、回転切削具と出隅柱の間に相対的な移動を与える移動手段と、少なくとも回転切削具によって出隅柱の頂角部が切削されている領域を冷却するための冷却手段、とを少なくとも備えることを特徴とする。
【００２０】
上記の装置では、回転切削具が、支持手段に支持されている前記出隅柱の頂角部に交差する姿勢で、かつ頂角部に形成される凹凸面に沿って上下に移動できるようにして支持されているので、出隅柱と回転切削具との間に相対移動が生じると、頂角部には、その凹凸面に沿うようにして切削加工（面取り加工）が進行する。従って、面取り加工部は、幅の狭いかつ頂角部の凹凸面に沿った形状のものとなる。
【００２１】
回転切削具が高速回転して出隅柱の頂角部を切削するときに、摩擦熱が発生する。しかし、本発明による装置は、回転切削具によって出隅柱の頂角部が切削されている領域を冷却するための冷却手段を備えており、冷却手段による冷却効果によって、反応式ホットメルト接着剤層が摩擦熱により再軟化（溶解）するのを回避できる。露出面がわずかに再軟化したとしても、直ちに硬化する。そのために、再軟化した接着剤の表面部分を切削することはなく、切削したとしても、切削片が回転切削具に巻き込まれる事態が生じるのを阻止することができる。それにより、切削面すなわち頂角部における側辺同士の接合部に残存する接着剤層の面取り加工部側の端面（露出面）は、湿気硬化型ウレタン接着剤のような従来の湿気硬化型接着剤の場合と同様、回転切削具で切削された平坦な面に、常時、維持される。
【００２２】
冷却手段は、回転切削具に近接した箇所に１つだけ設けるようにしてもよい。その場合には、大きな容量の冷却手段が必要となる。それを回避するために、回転切削具によって出隅柱の頂角部が切削される領域の上流側に、少なくとも回転切削具によって切削されることとなる出隅柱の頂角部の領域を冷却することのできる第２の冷却手段をさらに備えるようにしてもよい。
【００２３】
また、切削直後に、反応式ホットメルト接着剤層にわずかとはいえ再軟化現象が発生することも起こり得るので、それを回避するために、回転切削具によって出隅柱の頂角部が切削される領域の下流側に、少なくとも回転切削具によって切削された出隅柱の頂角部の領域を冷却することのできる第３の冷却手段をさらに備えるようにしてもよい。
【００２４】
本発明の装置において、２段以上の回転切削具を切削すべき出隅柱の長手方向に配置するようにしてもよい。多段に回転切削具を配置することにより、回転切削具１個当たりの負荷を低減することができ、作業の安定性、回転切削具の長寿化、加工面の一層の平坦面化、などを達成することができる。各段の回転切削具の切削刃ピッチを、一段目が最も大きく、以下、順次小さくしていくことにより、一層安定した面取り加工を行うことができる。なお、多段に回転切削具を配置する場合に、好ましくは、各段の回転切削具に近接して、またその上流側と下流側に冷却手段を設けるようにする。なお、２段以上の回転切削具を配置する場合、各段の回転切削具の切削高さレベルを同じにすることが望ましい。下段側の回転切削具の切削レベルが上段側の切削レベルよりも低い位置にあると、接着剤層の切削面が再度現れるようになり、接着剤の除去が円滑に進行しない。
【００２５】
冷却手段は、発生する摩擦熱を除去できる手段であれば任意であるが、反応式ホットメルト接着剤の軟化点（８０℃〜９０℃のものが多い）以下の温度に切削領域を低下させるものが必要である。装置の容易性と使い易さの観点から、空気を冷却領域に噴射する手段であることは好ましく、空気を予冷する手段をさらに備え、冷却した空気を噴射することはさらに好ましい。一例として、エアークールという空気の膨張を利用した冷却圧風装置が挙げられる。これは、温度−７℃〜−４０℃、圧力０．３Ｍｐａ〜０．７ＭＰａ程度の範囲の冷却加圧空気が得られる装置であり、その冷却加圧空気を切削領域に吹き付けることによって、冷却と共に、面取り加工部の切削片も吹き飛ばされる。
【００２６】
本発明の装置において、回転切削具は、出隅柱の頂角部に形成されている規則的でない凹凸が連続する凹凸面に沿って移動しかつ切削加工を行いうるものであれば、任意のものを用いうるが、圧縮空気で作動するグラインダービットであることは好ましく、切削刃の形状は、ねじれ角を持つスパイラルビット形状でもよく、クロスビット形状でもよい。
【発明の効果】
【００２７】
本発明によれば、２枚の板片を接着剤として反応式ホットメルト接着剤を用いて接着接合した出隅柱において、出隅柱の頂角部における面取り加工部をできるだけ目立たなくし、また面取り加工部に表面エンボス柄に生じる陰影と同様な陰影が形成されるようにして、面取り加工部に違和感を起こさせないようにした出隅柱を得ることができる。
【発明を実施するための最良の形態】
【００２８】
以下、図面を参照しながら本発明を説明する。図１は本発明による出隅柱Ａの１実施の形態を示す側面図（図１ａ）と断面図（図１ｂ）および要部の拡大斜視図（図１ｃ）であり、図２は出隅柱Ａを上方から見た状態をより写実的に示している。図３は従来の方法で面取り加工を行った出隅柱を示す図２に相当する図である。図４は面取り加工前の出隅柱を示す側面図であり、図５は本発明による面取り加工法の１態様を説明するための側面図である。図６は本発明による出隅柱頂角部に面取り加工を施す装置の要部を示す斜視図であり、図７は図６に示す装置を出隅柱の送り方向から見た図、図８はその側面図である。
【００２９】
この例において、出隅柱Ａを形成する板片１ａ，１ａは、接合面に交差する方向に走る多数の凸条６と凹溝７からなるエンボス柄を有しており、２枚の板片１ａ，１ａは、側辺同士が長手方向に頂角部３を形成するように、かつ頂角部３でエンボス柄（凸状６と凹溝７の繰り返し模様）の凹凸が合うようにして接着接合されている。それにより、頂角部３には、エンボス柄の凹凸模様に応じて連続する凹凸面が形成される。接着接合には反応式ホットメルト接着剤Ｐが用いられ、図１ｃに示すように、接合面には反応式ホットメルト接着剤Ｐが接着剤層として残存し、その厚さは約０．３〜０．５ｍｍ程度である。接着剤として反応式ホットメルト接着剤Ｐを用いることにより、２枚の板片１ａ，１ａが安定的に接着するまでの時間を短縮することができ、生産効率が向上する。
【００３０】
この例において、２枚の板片１ａ，１ａは、高い意匠性を出すために、各凸条６および凹溝７の形状は少しずつ異なるようにされているが、平均して、隣接する凸条同士の頂部間の距離ａ（図１参照）は１０ｍｍ〜１５ｍｍ程度であり、凹溝７の底部と凸条６の頂部との高さは平均して８ｍｍ程度である。図示しないが、単純な繰り返し模様が好まれる場合には、同じ形状の凸条と凹溝を繰り返すようにしてもよい。
【００３１】
接着したままの状態を図４に示すように、出隅柱Ａの頂角部３には、２枚の板片１ａ，１ａの間のズレや反応式ホットメルト接着剤Ｐのはみ出しＰａが生じるので、後記する装置を用いて、頂角部３の凹凸に沿って頂角部３に面取り加工が施される。それにより、図５に示すように、頂角部３からズレ部分や反応式ホットメルト接着剤Ｐのはみ出しＰａは除去されて、頂角部３には幅の狭い面取り加工部８が形成される。そして、図１ｃに示すように、接着剤Ｐの面取り加工部側の端面Ｐｃは面取り加工部８の凹凸面に沿いかつ平坦な面となる。それにより、面取り加工部８に施す後塗装で形成される塗膜１０は微細な凹凸のない安定したものとなる。
【００３２】
図１に示す例では、頂角部３でのエンボス柄の凸部領域（凸条６同士が接合している部分）とエンボス柄の凹部領域（凹溝７同士が接合している部分）がともに連続した曲面８ａ，８ｂとなるように頂角部３に面取り加工が施されて、前記幅の狭い面取り加工部８とされているが、凹部領域は必ずしも面取り加工が施されていなくてもよい。面取り加工部８の横幅は狭いことが望ましく、好ましくは、８ｍｍ程度以下とされる。前記のように、幅の狭い面取り加工部８には後塗装１０が施されて、出隅柱Ａとなる。
【００３３】
本発明による出隅柱Ａでは、面取り加工部８は全体として幅が狭くされており、後塗装による塗膜１０も安定しており、かつ少なくとも頂角部３でのエンボス柄の凸部領域は連続した曲面８ａとされているので、図２に示すように、面取り加工部８全体が目立たなくなると共に、昼間の日光が当たったときに板片１ａの表面柄部に生じる陽光部Ｓと陰影部Ｄと同様な陽光部が面取り加工部８の連続した曲面８ａにも生じるようになり、左右の板片１ａ，１ａの陽光部Ｓと陰影部Ｄが連続しているように見えるようになる。そのために、見る者は左右の板片１ａ，１ａのエンボス柄を全体的に連続したもの感じることができ、一層面取り加工部は目立たないものとなる。
【００３４】
なお、図３は、図１、図２に示した出隅柱Ａと同じ板片１ａを用いた出隅柱Ａ１に対して、従来のテノーナー切削機により頂角部３の面取り加工を行った場合を示している。この場合には、図示のような菱形をなす平坦面である面取り加工部８（Ｓａ）・・が各凸条６の頂部ごとに形成されるようになり、この部分に後塗装として塗膜を形成しても、出隅柱Ａ１に昼間の光があたるとき、その部分が大きな陽光領域Ｓａとなり、それ自体が目立ってしまい違和感を感じさせるばかりでなく、左右の板片における凸条６の陰影部Ｄがその部分で中断され、模様としての連続性を失う。上記した本発明による出隅柱Ａでは、そのような不都合が解消されている。
【００３５】
次ぎに、上記した出隅柱Ａを製造するための装置Ｂ、すなわち、２枚の板片１ａ，１ａを側辺同士が長手方向の頂角部３を形成するように反応式ホットメルト接着剤Ｐを用いて接着接合して形成された出隅柱の、前記頂角部３に対して、図５に示すように、面取り加工を施す装置Ｂの一例を、図６〜図８を参照して説明する。
【００３６】
装置Ｂは、送りローラ２１を備える出隅柱支持手段２０と、出隅柱支持手段２０で支持された出隅柱Ａの頂角部３に交差するようにして位置する回転切削具３０（好ましくはグラインダービット）と、回転切削具３０を頂角部３に形成される凹凸に沿って上下に移動できるように支持する回転切削具支持手段４０と、回転切削具３０と出隅柱Ａの間に相対的な移動を与える移動手段と、回転切削具３０によって出隅柱Ａの頂角部３が切削される領域を冷却するための冷却手段５０とを備える。
【００３７】
なお、この例では、出隅柱支持手段２０に設けた送りローラ２１が出隅柱Ａを移動させて、回転切削具３０と出隅柱Ａの間に相対的な移動を与えるようになっており、送りローラ２１が本発明でいう移動手段を兼ねている。しかし、出隅柱支持手段２０に支持された出隅柱Ａを固定しておき、適宜の移動手段で回転切削具３０を移動するようにしてもよい。また、図示の例で、出隅柱支持手段２０は、複数個の送りローラ２１を水平方向に配列して、送りを安定させるために全体に平ベルト２２を巻装しているが、平ベルト２２は省略することもできる。さらに、回転切削具３０と回転切削具支持手段４０は、出隅柱Ａの移動方向（長手方向）に２段に配置されているが、１段であっても、３段以上であってもよい。
【００３８】
前記したように２枚の板片１ａ，１ａを側辺同士が長手方向の頂角部３を形成するように反応式ホットメルト接着剤Ｐを用いて接着接合して形成された出隅柱Ａが、頂角部３を上方に露出するようにして送りローラ２１の上に乗せられ、送りローラ２１が回転することにより、出隅柱Ａは矢印Ｘ方向に移送される。出隅柱Ａの送りを安定させるために、図示のもののように、押さえロール２３を設けることが望ましい。
【００３９】
回転切削具３０は、この例において、ねじれ角αを持つグラインダービットであり、スパイラルビット形状でもよく、クロスビット形状でもよい。いずれの場合も、ねじれ角αは４５゜以下、より好ましくは１０゜〜３０゜の範囲である。好ましくは、回転切削具３０は超硬刃ビットであり、図示のもののように２段にグラインダービット３０を配置する場合、切削上流側に位置するグラインダービット３０のねじれ角αは１０゜程度、切削下流側に位置するグラインダービット３０のねじれ角αは３０゜程度とすることが好ましい。回転切削具３０の直径は、頂角部３に形成される凹凸における凹部内に入り込みかつ凹部に沿って移動できるような直径であることが望ましく、例えば、図１に示す出隅柱Ａのように、隣接する凸条同士の頂部間の距離ａがは１０ｍｍ〜１５ｍｍ程度である出隅柱Ａを面取り加工する場合には、直径３〜４ｍｍ程度の回転切削具（グラインダービット）３０が用いられる。
【００４０】
２つの前記回転切削具支持手段４０は同じ構成であり、固定機枠４１に立設した支柱４２を有し、該支柱４２に対して可動機枠４３が上下動可動に取り付けてある。そして、固定機枠４１と可動機枠４３との間には、支柱４２に外挿したコイルバネ４５が配置してある。可動機枠４３は、コイルバネ４５に抗して、回転切削具３０に切削に必要な所要の荷重を与えるためのものであり、実機に応じて適切な重さのものが選定される。
【００４１】
可動機枠４３には適宜の空圧源に接続する空圧式回転装置４６が備えられ、該空圧式回転装置４６の先端に前記回転切削具３０が回転軸心Ｃを水平方向となるようにして取り付けてある。図に示すように、回転切削具３０の軸心線Ｃの向きは出隅柱Ａの送り方向Ｘに直交する方向であり、その切削刃が、送られる出隅柱Ａの頂角部３の稜線方向に直交した状態で乗るようにされている。
【００４２】
固定機枠４１と可動機枠４３との間に配置するコイルバネ４５の強さ（バネ定数）は、可動機枠４３がフリーな状態でコイルバネ４５の上に載ったときに、回転切削具３０の最下面のレベルＬ１が、図５に示すように、送られてくる出隅柱Ａの頂角部３の稜線における凹溝７の底面のレベルＬ２よりわずかに低い位置となるようにセットすることが望ましい。また、図示の装置のように、２つの回転切削具支持手段４０、４０を備える場合には、各回転切削具３０，３０の最下面のレベルＬ１が、共に等しいレベルＬ１となるようにセットする。
【００４３】
冷却手段５０は、この例では熱交換用流体として空気を用いる冷却手段であり、ポンプＰと配管５２を介してノズル５１から必要量の予冷空気が噴出するようになっている。好ましくは、エアークールという空気の膨張を利用した冷却圧風装置を用い、例えば、温度−７℃〜−１８℃、圧力０．３Ｍｐａ〜０．７ＭＰａ程度の範囲に冷却・加圧空気をノズル５１から吹き出すようにする。ノズル５１は、図８に５１ａとして示すように、少なくとも回転切削具３０が出隅柱Ａの頂角部３を切削している領域に対して空気を吹き付けることのできる位置に配置される。図８に示すように、回転切削具３０によって切削される領域の上流側および下流側にも第２，第３のノズル５１を配置することはさらに好ましい。面取り加工時に、ノズル５１（５１ａ）からは、回転切削具３０が頂角部３を切削するときに生じる摩擦熱によって出隅柱Ａの接着接合に用いた反応式ホットメルト接着剤Ｐが再軟化（溶解）するのを阻止できる量の予冷空気が吹き出される。吹き出した予冷空気により、切削工具３０も冷却され、切削片も吹き飛ばされる。
【００４４】
面取り加工に際し、空圧式回転装置４６に圧縮空気を送り回転切削具３０に所要の回転（例えば、２５０００ｒｐｍ程度）を与える。出隅柱支持手段２０を利用して出隅柱Ａを送り込むと、各可動機枠４３はコイルバネ４５から上に向いた力を受けており、２つの回転切削具３０，３０は、それぞれ独立した挙動を取りながら、容易に上方に移動し、送られてくる出隅柱Ａの頂角部３の稜線に生じている凹凸面に倣うように上下動する。それによって、回転切削具３０は、頂角部３の稜線に生じている凹凸をなぞる形で面取り加工していく。それにより、はみ出ている接着剤Ｐａは削り取られると同時に、幅の狭い面取り加工面８が形成される。
【００４５】
その過程で、冷却手段５０のノズル５１からは、予冷空気が常時噴射していて、切削される領域とその前後の領域を冷却するので、摩擦熱によって反応式ホットメルト接着剤Ｐが再軟化することはなく、回転切削具３０に反応式ホットメルト接着剤Ｐが付着して巻き付くようなことは生じない。それにより、前記しかつ図１ｃに示したように、反応式ホットメルト接着剤Ｐが面取り加工部８側に露出している端面Ｐｃは、面取り加工部８の凹凸面に沿いかつ平坦な面となる。
【００４６】
なお、図示の例では、固定機枠４１と可動機枠４３との間にコイルバネ４５を配置して回転切削具３０が出隅柱Ａの頂角部３に作用する下向き荷重を調整するようにしたが、可動機枠４３の重さを適宜調整することにより、コイルバネ４５を省略しても、所望の面取り加工を行うことができる。
【図面の簡単な説明】
【００４７】
【図１】本発明による出隅柱の１実施の形態を示す側面図（図１ａ）と、図１ａのｂ−ｂ線に沿う断面図（図１ｂ）および要部の拡大斜視図（図１ｃ）。
【図２】出隅柱を上方から見た状態をより写実的に示す図。
【図３】従来の製造方法で面取り加工を行った出隅柱を示す図２に相当する図。
【図４】面取り加工前の出隅柱を示す側面図。
【図５】本発明による面取り加工法の１態様を説明するための側面図。
【図６】本発明による出隅柱頂角部に面取り加工を施す装置の要部を示す斜視図。
【図７】図６に示す装置を出隅柱の送り方向から見た図。
【図８】図６に示す装置の概略的な側面図。
【図９】従来の出隅柱の一例を示す図。
【図１０】出隅柱の作り方の一例を説明するための図。
【図１１】反応式ホットメルト接着剤を接着剤として用いた出隅柱での面取り加工部を示す模式図。
【符号の説明】
【００４８】
Ａ…出隅柱、Ｂ…出隅柱頂角部に面取り加工を施す装置、Ｓ…表面柄部での陽光部、Ｄ…表面柄部での陰影部、Ｐ…反応式ホットメルト接着剤、Ｐａ…頂角部からはみ出ている接着剤、Ｐｃ…面取り加工部側に露出している反応式ホットメルト接着剤の端面、１ａ…板片、３…出隅柱の頂角部、６…表面柄部の凸条、７…表面柄部の凹溝、８…幅の狭い面取り加工部、８ａ…面取り加工部の凸部、８ｂ…面取り加工部での凹部、１０…面取り加工部に形成された塗膜、２０…出隅柱支持手段、２１…送りローラ（移動手段）、２２…平ベルト、２３…押さえロール、３０…回転切削具（グラインダービット）、４０…回転切削具支持手段、４１…固定機枠、４２…支柱、４３…可動機枠、４５…コイルバネ、４６…空圧式回転装置、５０…冷却手段、５１ａ…ノズル、５２…配管
【図１】
2006328851.tif 000003
【図２】
2006328851.tif 000004
【図３】
2006328851.tif 000005
【図４】
2006328851.tif 000006
【図５】
2006328851.tif 000007
【図６】
2006328851.tif 000008
【図７】
2006328851.tif 000009
【図８】
2006328851.tif 000010
【図９】
2006328851.tif 000011
【図１０】
2006328851.tif 000012
【図１１】
2006328851.tif 000013
【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
少なくとも２枚の板片を側辺同士が長手方向の頂角部を形成するように反応式ホットメルト接着剤を用いて接着接合して形成される出隅柱であって、
前記頂角部には８ｍｍ以下である幅の狭い面取り加工部が形成されており、該面取り加工部は長手方向に連続した水平面ではなく規則的でない凹凸が連続する凹凸面とされており、かつ、
前記頂角部における側辺同士の接合部には接着接合に用いた接着剤層が残存していて、該接着剤層の面取り加工部側の端面は面取り加工部の凹凸面に沿いかつ平坦な面となっていることを特徴とする出隅柱。
【請求項２】
前記板片は表面柄部として接合面に交差する方向に走るエンボス柄を有していることを特徴とする請求項１に記載の出隅柱。
【請求項３】
前記頂角部に形成される幅の狭い面取り加工部に形成される凹凸面は連続した曲面部分を有することを特徴とする請求項１または２に記載の出隅柱。
【請求項４】
前記頂角部に残存している接着剤層の幅は約０．３〜０．５ｍｍの範囲であることを特徴とする請求項１〜３のいずれかに記載の出隅柱。
【請求項５】
前記面取り加工部に後塗装が施されていることを特徴とする請求項１〜４のいずれかに記載の出隅柱。
【請求項６】
少なくとも２枚の板片を側辺同士が長手方向の頂角部を形成するように反応式ホットメルト接着剤を用いて接着接合して形成された出隅柱の頂角部に面取り加工を施す装置であって、
前記出隅柱を支持する出隅柱支持手段と、
支持された出隅柱の前記頂角部に交差するようにして位置しておりかつ頂角部に形成される凹凸面の凹部内に入り込む大きさの回転切削具と、
該回転切削具を頂角部に形成される凹凸面に沿ってかつ凹部においてはそこに入り込んだ状態で上下に移動できるように支持する回転切削具支持手段と、
回転切削具と出隅柱の間に相対的な移動を与える移動手段と、
少なくとも回転切削具によって出隅柱の頂角部が切削されている領域を冷却するための冷却手段、
とを少なくとも備えることを特徴とする出隅柱頂角部に面取り加工を施す装置。
【請求項７】
回転切削具によって出隅柱の頂角部が切削される領域の上流側に、少なくとも回転切削具によって切削されることとなる出隅柱の頂角部の領域を冷却するための第２の冷却手段をさらに備えることを特徴とする請求項６に記載の出隅柱頂角部に面取り加工を施す装置。
【請求項８】
回転切削具によって出隅柱の頂角部が切削される領域の下流側に、少なくとも回転切削具によって切削された出隅柱の頂角部の領域を冷却するための第３の冷却手段をさらに備えることを特徴とする請求項６または７に記載の出隅柱頂角部に面取り加工を施す装置。
【請求項９】
２段以上の回転切削具が切削すべき出隅柱の長手方向に配置されていることを特徴とする請求項６〜８のいずれかに記載の出隅柱頂角部に面取り加工を施す装置。
【請求項１０】
冷却手段は空気または予冷却空気を冷却領域に噴射する手段であることを特徴とする請求項６〜９いずれかに記載の出隅柱頂角部に面取り加工を施す装置。
【請求項１１】
回転切削具は圧縮空気で作動するグラインダービットであることを特徴とする請求項６〜１０のいずれかに記載の出隅柱頂角部に面取り加工を施す装置。
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
少なくとも２枚の板片を側辺同士が長手方向の頂角部を形成するように反応式ホットメルト接着剤を用いて接着接合して形成される出隅柱であって、
前記頂角部には８ｍｍ以下である幅の狭い面取り加工部が形成されており、該面取り加工部は長手方向に連続した水平面ではなく規則的でない凹凸が連続する凹凸面とされており、かつ、
前記頂角部における側辺同士の接合部には接着接合に用いた接着剤層が残存していて、該接着剤層の面取り加工部側の端面は面取り加工部の凹凸面に沿いかつ平坦な面となっていることを特徴とする出隅柱。
【請求項２】
前記板片は表面柄部として接合面に交差する方向に走るエンボス柄を有していることを特徴とする請求項１に記載の出隅柱。
【請求項３】
前記頂角部に形成される幅の狭い面取り加工部に形成される凹凸面は連続した曲面部分を有することを特徴とする請求項１または２に記載の出隅柱。
【請求項４】
前記頂角部に残存している接着剤層の幅は約０．３〜０．５ｍｍの範囲であることを特徴とする請求項１〜３のいずれかに記載の出隅柱。
【請求項５】
前記面取り加工部に後塗装が施されていることを特徴とする請求項１〜４のいずれかに記載の出隅柱。